(57)【要約】【課題】コンクリート片や、他の混合廃棄物を含んだ土砂を、最小限の機械で選別処理して再生処理することができる土砂再生処理システムを提供する。【解決手段】走行体３１を備えた本体３０と、この本体３０に複数段の複数の櫛状部材を振動可能に設けた第１の篩い装置３２と、前記第１の篩い装置３２で捕捉されたコンクリート片や、他の混合廃棄物を排出する第１の排出コンベヤ３３と、前記第１の篩い装置３２を通過した他の混合廃棄物を捕捉する第２の篩い装置３４と、前記第２の篩い装置３４で捕捉された他の混合廃棄物を排出する第２の排出コンベヤ３５と、前記第２の篩い装置３５を通過した土砂を排出する第３の排出コンベヤ３６とからなる篩い機械３と、前記篩い機械３における第３の排出コンベヤ３６からの土砂を受け入れて、この土砂に添加材を添加して攪拌混合する土質改良機械４とを備えた。【選択図】  図２
2006051467.tif 000002
【特許請求の範囲】
【請求項１】
コンクリート片や、他の混合廃棄物を含んだ土砂中から土砂を再生する土砂再生処理システムであって、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システム。
【請求項２】
コンクリート片や、他の混合廃棄物を含んだ土砂中から土砂を再生する土砂再生処理システムであって、前記コンクリート片や他の混合廃棄物を、コンクリート片や他の混合廃棄物を含んだ土砂中から分別把持する把持機械と、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システム。
【請求項３】
コンクリート片や、他の混合廃棄物を含んだ土砂中から土砂を再生する土砂再生処理システムであって、コンクリート片や他の混合廃棄物やこれらを含んだ高粘度の土砂を有する箇所から、これらを掘削する掘削バケットを有する掘削機械と、前記コンクリート片や他の混合廃棄物を、コンクリート片や他の混合廃棄物を含んだ高粘度の土壌から分別把持する把持機械と、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システム。
【請求項４】
前記篩い機械における第１の排出コンベヤから排出されたコンクリート片や、他の混合廃棄物を破砕する破砕機械を備えたことを特徴とする請求項１乃至３のいずれかに記載の土砂再生処理システム。
【発明の詳細な説明】
【技術分野】
【０００１】
本発明は、コンクリートがら類や、混合廃棄物類が混入した土砂を選別処理する廃棄物処理システムに関するものである。
【背景技術】
【０００２】
近年、土砂を改質し、例えばガス管等の埋設工事、上下水道工事及びその他の道路工事での埋め戻し材として再利用することが積極的になされている。改良対象となる土砂はその性質や状態が多種多様であるが、この場合にも産業廃棄物の増大を招くことなく土砂の高品質化を図り、廃棄物の再利用促進を図ることができる土砂製品生産システムが提案されている（例えば、特許文献１参照。）。
【０００３】
この土砂製品生産システムは、非定置式土砂製品生産機における受け入れ行程、混合行程、排出行程等の複数の生産工程に先立ち、別途設けた定置式の第１前処理設備にて、予め、原料となる土砂の分級、解砕、破砕及び添加物添加等の前処理を行うようにしたものである。
【０００４】
【特許文献１】特開２００２−４２６８号公報
【発明の開示】
【発明が解決しようとする課題】
【０００５】
上記従来技術においては、受け入れ行程、混合行程、排出行程等の複数の生産工程を行う非定置式土砂製品生産機、即ち、土砂に添加材を供給し、これらを攪拌翼の回転により攪拌混合する土質改良機での処理効率を向上するために、この土質改良機への土質投入前に、処理すべき土砂を分級、解砕、破砕及び添加物添加等の前処理を行うようにしている。
【０００６】
このため、その前処理のために種々の機器を配置する必要があると共に、その前処理作業に多大な時間が掛かるという問題がある。特に、コンクリート片や、他の混合廃棄物を含んだ土砂を再利用可能に再生処理する場合には、前述した前処理を行い、土砂中からこれに入り込んでいるコンクリート片や、他の混合廃棄物を事前に取り除いておくことがその後の土砂処理に有効である。
【０００７】
しかしながら、その事前処理に対する有効な方策が見当たらないため、やむなく前述したように種々の機器を配置して、前処理を行っているのが現状である。
【０００８】
本発明は、特に、コンクリート片や、他の混合廃棄物を含んだ土砂を、最小限の機械で選別処理して再生処理することができる土砂再生処理システムを提供することを目的とするものである。
【課題を解決するための手段】
【０００９】
本発明は、上記の目的を達成するために、第１の発明は、コンクリート片や、他の混合廃棄物を含んだ土砂中から土砂を再生する土砂再生処理システムであって、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システムにある。
【００１０】
また、第２の発明は、コンクリート片や、他の混合廃棄物を含んだ土砂中から土砂を再生する土砂再生処理システムであって、前記コンクリート片や他の混合廃棄物を、コンクリート片や他の混合廃棄物を含んだ土砂中から分別把持する把持機械と、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システムにある。
【００１１】
更に、第３の発明は、コンクリート片や、他の混合廃棄物を含んだ土砂中から土砂を再生する土砂再生処理システムであって、コンクリート片や他の混合廃棄物やこれらを含んだ高粘度の土砂を有する箇所から、これらを掘削する掘削バケットを有する掘削機械と、前記コンクリート片や他の混合廃棄物を、コンクリート片や他の混合廃棄物を含んだ高粘度の土壌から分別把持する把持機械と、走行体を備えた本体と，この本体に複数段の複数の櫛状部材を振動可能に設けた第１の篩い装置と，前記第１の篩い装置で捕捉されたコンクリート片や、他の混合廃棄物を排出する第１の排出コンベヤと，前記第１の篩い装置を通過した他の混合廃棄物を捕捉する第２の篩い装置と，前記第２の篩い装置で捕捉された他の混合廃棄物を排出する第２の排出コンベヤと，前記第２の篩い装置を通過した土砂を排出する第３の排出コンベヤとからなる篩い機械と、前記篩い機械における第３の排出コンベヤからの土砂を受け入れて、この土砂に添加材を添加して攪拌混合する土質改良機械とを備えたことを特徴とする土砂再生処理システムにある。
【００１２】
また、第４の発明は、第１乃至第３の発明のいずれかにおいて、前記篩い機械における第１の排出コンベヤから排出されたコンクリート片や、他の混合廃棄物を破砕する破砕機械を備えたことを特徴とする土砂再生処理システムにある。
【発明の効果】
【００１３】
第１の発明によれば、コンクリート片や、他の混合廃棄物を含んだ土砂からなる廃棄物を、複数段の複数の櫛状部材を振動可能に設けた第１の篩い装置と、第１の篩い装置を通過した他の混合廃棄物を捕捉し土砂を通過させる第２の篩い装置とからなる篩い機械によって、土砂とコンクリート片及び他の混合廃棄物とに分別できるので、土質改良機械に対する前処理作業時間が短縮されると共に、その処理設備費用を削減することができる。
【００１４】
また、第２の発明によれば、把持機械によって、コンクリート片や他の混合廃棄物やこれらを含んだ土砂からなる廃棄物中から、コンクリート片や他の混合廃棄物を取り除き、残されたコンクリート片や他の混合廃棄物を含んだ土砂を、複数段の複数の櫛状部材を振動可能に設けた第１の篩い装置と、第１の篩い装置を通過した他の混合廃棄物を捕捉し土砂を通過させる第２の篩い装置とからなる篩い機械によって、土砂とコンクリート片及び他の混合廃棄物とに分別できるので、土質改良機械に対する前処理作業時間が短縮されると共に、その処理設備費用を削減することができる。また、把持機械によるコンクリート片や他の混合廃棄物の取り除き精度が向上するので、篩い機械による土砂選別精度が向上する。その結果、土質改良機械による高品質の改質土砂を提供することができる。
【００１５】
また、第３の発明によれば、上述した第２の発明による効果に加えて、コンクリート片や他の混合廃棄物やこれらを含んだ高粘度の土砂からなる廃棄物の分別処理作業効率を向上させることができる。
【発明を実施するための最良の形態】
【００１６】
本発明の土砂再生処理システムの実施の形態を図面を用いて説明する。  
図１は本発明の土砂再生処理システムの一実施の形態を示し、図２は図１に示す本発明の土砂再生処理システムの一実施の形態を構成する篩い機械と土質改良機械との配置構成を示す正面図、図３はその平面図である。図１において、１は土砂中に混入したコンクリート片や他の混合廃棄物を掘り起こしする掘削機械で、この掘削機械１は例えば掘削バケットを備えた油圧ショベルを用いている。
【００１７】
２は掘削機械１で掘り起こされて堆積された廃棄物中からコンクリートがら類や混合廃棄物を把持し選別する把持機械で、この把持機械２は例えばフォークグラップル仕様の油圧ショベルを用いている。
【００１８】
３はコンクリート片や他の混合廃棄物を含んだ土砂を大中小の３種類のサイズに分別する篩い機械である。この篩い機械１による分別で得られる大サイズ（オーバサイズ）の分別物ＢＯは、コンクリート片や寸法の大きい他の混合廃棄物であり、また中サイズ（ミドルサイズ）の分別物ＢＭは、寸法の小さい他の混合廃棄物であり、さらに小サイズ（アンダサイズ）の分別物ＢＵは、土砂である。
【００１９】
この篩い機械３は、図２及び図３に示すように、本体３０と、この本体３０に設けた走行体３１と、この本体３０に複数段の複数の櫛状部材を振動可能に設けた第１の篩い装置３２と、前記第１の篩い装置３２で捕捉された大サイズのコンクリート片や、他の混合廃棄物ＢＯを排出する第１の排出コンベヤ３３と、前記第１の篩い装置３２を通過した中サイズの他の混合廃棄物ＢＭを捕捉する第２の篩い装置３４と、前記第２の篩い装置３４で捕捉された中サイズの他の混合廃棄物ＢＭを排出する第２の排出コンベヤ３５と、前記第２の篩い装置３４を通過した土砂ＢＵを排出する第３の排出コンベヤ３６とから構成されている。
【００２０】
図１に戻り、４は篩い機械３で分別された土砂ＢＵを受け入れてこれを改質する土質改良機械で、この土質改良機械で改質された土砂は、法面への吹き付け材、築堤材等への再生材として利用される。この土質改良機械４は、図２及び図３に示すように、本体４０と、この本体４０に設けた走行体４１と、本体４０の一方側に設けられた土砂受入用のホッパ４２と、このホッパ４２の下部に設けられ、ホッパ４２からの土砂を移送する移送コンベヤ４３と、本体４０の中央部上方に設けられた添加材貯留用のタンク４４と、本体４０の中央部に設けられ、移送コンベヤ４３からの土砂と添加材貯留用のタンク４４からの例えば生石灰等の添加材とを攪拌混合する混合機４５と、この混合機４５からの混合土を排出する排出コンベヤ４６とで構成されている。
【００２１】
次に、上述した本発明の土砂再生処理システムの一実施の形態の動作を説明する。  
まず、掘削機械１、把持機械２、篩い機械３及び土質改良機械４を、連続処理し得るように配置する。この状態において、掘削機械１は、コンクリート片や他の混合廃棄物やこれらを含んだ高粘度の土砂からなる廃棄物をその廃棄場所から掘り起こして適宜の場所に堆積する。
【００２２】
堆積された廃棄物は、コンクリート片や他の混合廃棄物やこれらを含んだ土砂であるので、把持機械２は一次選別作業として、堆積された廃棄物中から、コンクリート片や他の混合廃棄物を把持し、これらを他の場所に移載する。このコンクリート片や他の混合廃棄物は、他の手段により再利用できるように選別処理される。
【００２３】
把持機械２によってコンクリート片や他の混合廃棄物を取り除かれた廃棄物は、コンクリート片や他の混合廃棄物を含んだ土砂である。この土砂は、把持機械２によって篩い機械３に投入される。篩い機械３は、二次選別作業として、その第１の篩い装置３１における振動可能な複数段の複数の櫛状部材よって、コンクリート片や他の混合廃棄物を含んだ土砂に振動を与えて、コンクリート片や寸法の大きい他の混合廃棄物である大サイズ（オーバサイズ）の分別物ＢＯを捕捉し、他の廃棄物及び土砂を下方に通過させる。この捕捉された大サイズ（オーバサイズ）の分別物ＢＯは、第１の排出コンベヤ３３によって排出される。
【００２４】
篩い機械３における第１の篩い装置３１を通過した廃棄物は、その下方に位置する第２の篩い装置３４によって寸法の小さい他の混合廃棄物である中サイズ（ミドルサイズ）の分別物ＢＭを捕捉し、土砂等である小サイズ（アンダサイズ）の分別物ＢＵを通過させる。分別物ＢＭはその後、第２の排出コンベヤ３５によって排出され、また、第２の篩い装置３４を通過した土砂等である小サイズ（アンダサイズ）の分別物ＢＵは、第３の排出コンベヤ３６によって土質改良機械４に投入される。
【００２５】
前述した大サイズ（オーバサイズ）の分別物ＢＯ及び中サイズ（ミドルサイズ）の分別物ＢＭは、前述した一次選別作業で選別されたコンクリート片や他の混合廃棄物と同様に、他の手段により再利用できるように選別処理される。
【００２６】
小サイズ（アンダサイズ）の分別物ＢＵ即ち土砂を受け入れた土質改良機械４は、この土砂と添加材とを混合し、土砂を改質し、排出する。この改質土砂は法面への吹き付け材、築堤材等への再生材ＲＯとして利用される。
【００２７】
この実施の形態によれば、把持機械によって、コンクリート片や他の混合廃棄物やこれらを含んだ土砂中から、コンクリート片や他の混合廃棄物を取り除き、残されたコンクリート片や他の混合廃棄物を含んだ土砂を、複数段の複数の櫛状部材を振動可能に設けた第１の篩い装置と、第１の篩い装置を通過した他の混合廃棄物を捕捉し土砂を通過させる第２の篩い装置とからなる篩い機械３によって、土砂とコンクリート片及び他の混合廃棄物とに分別できるので、土質改良機械に対する前処理作業時間が短縮されると共に、その処理設備費用を削減することができる。また、把持機械によるコンクリート片や他の混合廃棄物の取り除き精度が向上するので、篩い機械による土砂選別精度が向上する。その結果、土質改良機械による高品質の改質土砂を提供することができる。更に、コンクリート片や他の混合廃棄物やこれらを含んだ高粘度の土砂からなる廃棄物の分別処理作業効率を向上させることができる。
【００２８】
図４及び図５は、本発明の土砂再生処理システムの他の実施の形態を示すもので、この図４及び図５において、図１乃至図３と同符号のものは同一部分である。この実施の形態は、篩い機械３における第１の篩い装置３２で捕捉された大サイズのコンクリート片や、他の混合廃棄物ＢＯを再利用するために、篩い機械３における第１の排出コンベヤ３３の排出端側に、自走式の破砕機械５を配置して構成したものである。
【００２９】
この実施の形態によれば、前述した本発明の一実施の形態における効果を奏し得るとともに、大サイズのコンクリート片や、他の混合廃棄物ＢＯの破砕物を再利用品として提供することができる。
【００３０】
なお、上述の実施の形態においては、廃棄物の掘り起こしから分別処理までの一連の作業を説明したが、廃棄物の堆積状態として、コンクリート片や他の混合廃棄物を含んだ土砂からなる廃棄物が堆積されている場合には、前述した掘削機械１による掘削作業、把持機械２による一次選別作業を省略し、篩い機械３による選別作業から開始するこができる。この場合におけるコンクリート片や他の混合廃棄物を含んだ土砂からなる廃棄物を、篩い装置３に投入する作業は、例えばコンベヤ、油圧ショベル等で行うことができる。
【００３１】
この実施の形態によれば、コンクリート片や、他の混合廃棄物を含んだ土砂からなる廃棄物を、複数段の複数の櫛状部材を振動可能に設けた第１の篩い装置と、第１の篩い装置を通過した他の混合廃棄物を捕捉し土砂を通過させる第２の篩い装置とからなる篩い機械によって、土砂とコンクリート片及び他の混合廃棄物とに分別できるので、土質改良機械に対する前処理作業時間が短縮されると共に、その処理設備費用を削減することができる。
【図面の簡単な説明】
【００３２】
【図１】本発明の土砂再生処理システムの一実施の形態を示す構成図である。
【図２】図１に示す本発明の土砂再生処理システムの一実施の形態を構成する篩い機械と土質改良機械との配置構成を示す正面図である。
【図３】図２に示す本発明の土砂再生処理システムの一実施の形態を構成する篩い機械と土質改良機械との配置構成を示す平面図である。
【図４】本発明の土砂再生処理システムの他の実施の形態を示す正面図である
【図５】図４に示す本発明の土砂再生処理システムの他の実施の形態の平面図である。
【符号の説明】
【００３３】
１        掘削機械
２        把持機械
３        篩い機械
４        土質改良機械、
５        破砕機械
【図１】
2006051467.tif 000003
【図２】
2006051467.tif 000004
【図３】
2006051467.tif 000005
【図４】
2006051467.tif 000006
【図５】
2006051467.tif 000007